Podtech/llm-jp-corpus-v4-ja_patent huggingface dataset:
(57)【要約】【課題】  病人はベッド上で頻繁にティッシュを使用する場合が多い。一般にティッシュはサイドテ−ブルか布団の上に置いているが、身動き困難な病人の場合サイドテ−ブル上には手が届きにくく、また布団上のティッシュは仰向き状態では見にくいので手探り動作となり、介護人の手助けを要することもあり不便であった。【解決手段】  本発明は、ティッシュ取り出し穴を底面に設けた箱形状の架台に、ベッドサイドに取り付けて縦立させる取付脚を取着してなるティッシュホルダ−である。  手が届き視線範囲のベッド上に設置し、架台上にティッシュ箱を下向きに置いて底面の取り出し穴からティッシュを下方に引き出す。  片手を伸ばすだけでティッシュを見ながら容易に引き出すことができる。【選択図】  図２
2007008579.tif 000002
【特許請求の範囲】
【請求項１】
ティッシュ取り出し穴を底面に設けた箱形状の架台に、方形金属板または金属棒材の方形枠体をＬ字形状に折り曲げ成型してなる取付脚を、着脱自在に取着してなることを特徴とする箱入りティッシュのホルダ−。
【発明の詳細な説明】
【技術分野】
【０００１】  本発明は、箱入りティッシュをベッド上で使用するためのホルダ−に関する。
【背景技術】
【０００２】  一般に、病人はベッド上でティッシュを使用する場合が多く、特定の病気においては極めて頻繁に使用する。病人は、仰向き状態で身動き困難な場合も多い。【０００３】  通常、ティッシュはサイドテ−ブルか布団の上に置いて使用している。【０００４】  この場合、サイドテ−ブル上には寝ている状態では手が届きにくい場合が多く、また布団上のティッシュ箱は仰向き状態では見にくいので手探り動作となり、ベッド下に落ちることもあって、不便で介護人の手助けを要する場合も生じた。【０００５】  従来公知となっているティッシュホルダ−に、ティッシュが最後まで箱内から取り出せるよう、ティッシュ取り出し口を底面に設けたティッシュ収納部にスタンドを取り付け、下向きに取り出すようにしたものがあるが、これはティッシュのベッド上使用の前記不便をベッドに取り付けて解消するものではない。（特許文献１参照）【０００６】  また、床上や卓上などでのティッシュ使用を便利にするために、ティッシュ箱を収納する収納部下方に支持部と台部を設けたものがあるが、これは、ベッドでの使用をも想定してはいても、多目的ゆえにかなり大きな形状であったり複雑構造であったり、横向きの場合のティッシュ箱からはティッシュを取り出しにくいなど、使用・取扱に確実簡便とは言い難く、また商品化、輸送上の問題もある。（特許文献２参照）【０００７】
【特許文献１】  実開平０１−７３１８３号公報
【特許文献２】  特開平０８−１３３３５４号公報
【発明の開示】
【発明が解決しようとする課題】
【０００８】  ベッド上の病人が、仰向き状態で身動き困難の場合でも、簡単・便利に使用できるベッド取り付け用の箱入りティッシュのホルダ−を提供する。
【課題を解決するための手段】
【０００９】  本発明は、図１〜図５のように、ティッシュ取り出し穴３を底面に設けた箱形状の架台１に、方形金属板または金属棒材の方形枠体をＬ字形状に折り曲げ成型してなる取付脚２を、着脱自在に取着してなることを特徴とする箱入りティッシュのホルダ−である。【００１０】  本発明を使用するときは、図２に示すごとく、ベッド台座７とマットレス６間に取付脚２の短辺を挿入してベッドに定着すると、ベッド側面に縦立した長辺により架台１はベッド上に保持される。【００１１】  長辺と短辺を反対にし短辺を縦立辺として使用すると架台１を低い位置に保持することができ、条件に対応して高低２段階で使用できる。
【発明の効果】
【００１２】  本発明を、病人の視野範囲で手が届く最適位置に設置し、箱入りティッシュ５を箱の口を下方に向けて架台１上に置くと、底面のティッシュ取り出し穴３からティッシュを下方に取り出すことができる。【００１３】  この場合、ティッシュ取り出し穴３が、仰向き状態の病人の斜め上方にあって視野中に入り、片手の届く範囲で、かつティッシュ箱が固定されているので、ティッシュを見ながら片手で容易に引き出すことができる。【００１４】  構成が極めて簡単で、使用に簡便かつ安全、取り付け取りはずしも容易である。【００１５】  ベッドガ−ドやヘッドボ−ドの有無に関係なく、ほとんど全てのベッドに使用できる。【００１６】  ティッシュのホルダ−としての使用が不要となった場合には、図５のように底敷板を敷くことによりサイドボックスとして多目的に使用できるので無駄がない。
【発明を実施するための最良の形態】
【００１７】  図１は本発明の基本形態で、架台１はティッシュを取り出す適切な形状のティッシュ取り出し穴３を底面に設けた箱形状を樹脂成型してなり、ベッドへの取付脚２は方形金属板をＬ字形に折り曲げ成型してなり、架台１の側面に設けた凹部に取付脚２を挿脱自在に挿着して本発明はなる。
【実施例】
【００１８】  図３は、前記図１における取付脚２を、金属棒材の方形枠体をＬ字形状に折り曲げ成型したものとし、架台１に架台のふた４を設けたものである。【００１９】  図４は、金属棒材による架台１に、取付脚２を着脱自在に取着したものである。【００２０】  図５は、ティッシュのホルダ−として使用しない場合には底敷板８を敷くことによりサイドボックスとして多目的に使用できるような仕様の本発明の実施例である。
【産業上の利用可能性】
【００２１】  本発明は、病院や福祉施設、在宅介護等の介護用品として幅広い利用が見込まれる。
【図面の簡単な説明】
【００２２】
【図１】本発明の立体図
【図２】本発明の使用外観図
【図３】本発明の１実施例の立体図
【図４】本発明の他の１実施例の立体図
【図５】本発明の他の１実施例の立体図
【符号の説明】
【００２３】    １  架台
２  取付脚
３  ティッシュ取り出し穴
４  架台のふた
５  箱入りティッシュ
６  マットレス
７  ベッド台座
８  底敷板
【図１】
2007008579.tif 000003
【図２】
2007008579.tif 000004
【図３】
2007008579.tif 000005
【図４】
2007008579.tif 000006
【図５】
2007008579.tif 000007
(57)【要約】      （修正有）【課題】自動車安全運転のため欠く事の出来ないブレーキランプで有るが、このブレーキランプは車両の両サイドでブレーキを踏と点滅する、車両后方中央にブレーキランプと同時に発光するランプか付いて居る、これはあまり重要な機能を有さず飾り物的であるので新しい着想のもとに下記を開発した。【解決手段】現在まで未利用だった車両后方に付いているブレーキランプと同時に発光する、飾り物的ブレーキランプに文字を打抜いたマスクをかぶせ打抜穴より発光が出て文字を浮き出させる。又発光するランプの透明体に文字を印刷し、これを取付ける、発光すると透明体の文字が浮き出る、これにより后方車両にメッセイーヂを送る事が出来た。【選択図】図３
2007008439.tif 000002
【特許請求の範囲】
【請求項１】
自動車に付いて居るストップランプの点滅光により、浮き出され走行中の后方車両に交通安全その他のメッセーヂを送る事の出来る文字入ランプマスク
【請求項２】
ストップランプに文字を印刷し点滅光が交通安全、その他のメッセーヂを后方車両え文字にて点滅して送る事の出来るストップランプ
【発明の詳細な説明】
【発明の詳細な説明】
【０００１】  「発明の属する技術分野」
この発明は自動車に取付けられたストップランプの応用に関するものである。
【０００２】  「従来の技術」
ブレーキランプはその必要性にをいて欠く事の出来ない安全運転に関する装置であり、説明の必要がないほどのものである
【０００３】  「発明が解決しようとする課題」
これほど重要なブレーキランプは車両の后方両サイドに取付けられている事が普通のぢようたいである、乗用車両には、飾り物的に取付けられて居るブレーキランプが有り、両サイドのブレーキランプが点滅すると、同時に車両后方中央に有る飾り物的ブレキーランプも点滅する、この飾り物的ブレーキランプに他の機能を持たせる事について新しい着想のもとに次の開発をした。
【０００４】  「課題を解決するための手段」
この飾り物的なブレーキランプはブレーキを踏まれると点滅するもので有るが、左右の制動ブレーキランプが点滅して制動を后方車両に対し傳えているので、飾り物的ブレーキランプの点滅はあまり重要な意味をなさない、この飾り物的ブレーキランプを出す開発として、ランプの点滅光に文字その他のメッセーヂを送る手段としての利用を考案したものである。
すなわち、飾り物的ブレーキランプにメッセーヂを施こしたマスクを装着する事によりマスクから点滅光が出て、マスクの文字浮かばせ、読み取りやすくなり、后方車両にその意味が傳わる事により后方車両にメッセーヂを送る事が出来る
【０００５】  「実施例」
本発明は現在まで未利用になって居る飾り物的ブレーキに装着するマスクを取付ける事であり、又飾り物的ブレーキランプ自身の発光体の文字性、つまり文字が発光によって浮き出るようにした場合はマスクの必要はなくなり、マスク無しでもメッセーヂを后方に傳える事が出来た。
以下図によって説明する。
第１図より説明する、この図は乗用車両を后方から見た図である。（１）に（４）を張り付ける、又は（１）に（５）のように透明体に、つまり（１）に文字を書く、するとブレーキを踏むとブレーキランプと同時に光が発生し文字を浮き出させる。
【発明の効果】
【０００６】  公道にて自動車の后方に付いて居る飾り物的ブレーキランプに（車間注意）のメッセーヂを付けて走行した所后方車両が接近して、クラクションを鳴し后方にはなれていった事何回もあり、メッセーヂが傳わっている事を痛感した。
【図面の簡単な説明】
【図１】乗用自動車后方図
【図２】ブレーキランプマスク
【図３】飾り物的ブレーキランプが発光体の発光により、ブレーキマスクを付けずに文字が浮き出した図
【符号の説明】
（１）飾り物的ブレーキランプ
（２）制動ランプ
（３）后方マド
（４）文字マスク（ブレーキランプマスク）
（５）飾り物的ブレーキランプの透明体部分に有る文字が浮き出した図
（６）タイヤー
【図１】
2007008439.tif 000003
【図２】
2007008439.tif 000004
【図３】
2007008439.tif 000005
(57)【要約】【課題】ベビーカーを押しながらの買い物時、ベビーカーに取り付け、スーパーのカゴを乗せて、重たい思いをせず買い物ができるベビーカー用買い物カゴ受けを提供する。【解決手段】  買い物カゴ受け（１）底部にキャスター（２）を取り付け、側面にベビーカー取り付けひも（３）と、対向する側面には収納フック（４）を取り付けたことを特長とするベビーカー用買い物カゴ受け。【選択図】  図１
2007008436.tif 000002
【特許請求の範囲】
【請求項１】
買い物カゴ受け底部にキャスターを取り付け、側面にベビーカー取り付けひもを、かつ対向する側面には収納フックを取り付けたことを特長とするベビーカー用買い物カゴ受け。
【発明の詳細な説明】
【技術分野】
【０００１】    本発明は、スーパー等でベビーカーを押しながらの買い物時、ベビーカーに取り付け、スーパーのカゴを乗せて、重たい思いをせず買い物ができるベビーカー用買い物カゴ受けに関するものである。
【背景技術】
【０００２】    従来、ベビーカーを押しながらスーパーで買い物をする時は、片手でスーパーのカゴを持ち、片手でベビーカーを押すか、あるいは両手でカゴを持ちつつ、ベビーカーも押していた。
また、スーパーに設置されている、買い物カゴと、子供を一緒に乗せることができるショッピングワゴンや（特許文献１）、不使用時にネスティング可能なバスケットカゴ支持台を設けたベビーカー（特許文献２）の技術は広く知られている。
【特許文献１】実開平６−８１４０号公報
【特許文献２】実開平７−２７９７６号公報
【発明の開示】
【発明が解決しようとする課題】
【０００３】    そのために次のような問題点があった。
商品をカゴに入れていくうち、カゴの重さはどんどん重くなり、カゴを持つのもベビーカーを押すのも大変つらくなってくる。又、その中で商品を手に取って、ゆっくり見たい時など、カゴをずっと持っているのは重い為、カゴを一度床に置かざるをえなかった。
また、上記特許文献１、２にあっては、スーパーに上記特許文献１、２のような子供を乗せることができるショッピングワゴンが設置されていても、ベビーカーで買い物に行った場合、子供をベビーカーからスーパーのショッピングワゴンへ移さなければならず、子供が寝ている時などは特に不便であった。また、月齢の低い乳児の場合は、スーパーのショッピングワゴンには乗せることができなかった。
本発明は、以上の問題点を解決しようとするものである。
【課題を解決するための手段】
【０００４】    買い物カゴ受け底部にキャスターを取り付け、側面にベビーカー取り付けひもと、対向する側面には収納フックを取り付ける。以上を特長とするベビーカー用買い物カゴ受けである。
【発明の効果】
【０００５】    本発明は買い物カゴ受けにスーパーのカゴを置き、買いたい商品をカゴに入れていく為、手を自由に使え、重たい思いをせず、又、キャスターがついているので移動もしやすく、ベビーカーを押しながらでも楽に買い物ができる。現在自分が使っているベビーカーに簡単につけられ、収納フック（４）を使うことにより、不使用時の収納も非常に簡単であり、使う手間がかからない。
【発明を実施するための最良の形態】
【０００６】    以下、本発明の実施の形態を説明する。
（イ）一定の探さをもって形成した箱状の買い物カゴ受け（１）底部四隅に、３６０°回転するキャスター（２）を４つ取り付ける。
（ロ）前記買い物カゴ受け（１）の側面に、両端に面ファスナーがついているベビーカー取り付けひも（３）を２本取り付ける。ベビーカー取り付けひも（３）の取り付け手段としては、一例として、買い物カゴ受け（１）側面に半円環状を設け、ここに形成された空間に面ファスナーを挿通させることなどが考えられる。
（ハ）対向する側面には、フック部が３６０°回転するＳ字状の収納フック（４）を２つ取り付ける。取り付け手段としては、一例として、買い物カゴ受け（１）の側面の収納フック（４）を取り付けたい個所にそれぞれ二箇所穴をあけ、フック部を挿通し固定させる事などが考えられる。
買い物カゴ受け（１）を収納する為に持ち上げた時、収納フック（４）がちょうどかかるベビーカー本体の位置に、面ファスナーで取り外しができるベビーカー用フック（５）を２つ取り付ける。
本発明は以上の構成よりなっている。
本発明を使用する時は、ベビーカーの後輪の後ろに本発明の買い物カゴ受け（１）を置き、買い物カゴ受け（１）とベビーカーの後輪がぶつからない位置に取り付けひも（３）の長さを調節して、ベビーカーの後輪付近の軸に取り付ける。買い物の時は、買い物カゴ受け（１）にスーパーのカゴを置き、買いたい商品をカゴに入れていく。買い物が終わったら、ベビーカー取り付けひもはそのまま、買い物カゴ受け（１）を持ち上げ、収納フック（４）を本発明用にベビーカーのフレーム枠上に形成されたベビーカー用フック（５）にかけて収納する。
【図面の簡単な説明】
【０００７】
【図１】本発明の斜視図
【図２】本発明の使用状態を示す斜視図
【図３】本発明の収納状態を示す斜視図
【図４】本発明の使用状態を示す斜視図
【符号の説明】
【０００８】        １  買い物カゴ受け
２  キャスター
３  ベビーカー取り付けひも
４  収納フック
５  ベビーカー用フック
【図１】
2007008436.tif 000003
【図２】
2007008436.tif 000004
【図３】
2007008436.tif 000005
【図４】
2007008436.tif 000006
(57)【要約】【課題】  自動車の運転をする際ドアの窓から差し込んでくる強い日差しが顔にじりじりと当たっている時に、簡単に取り付けができ、日差しの向きに合わせて移動させることのできるサンシェードはなかったので、サンシェードの場所や角度を変えられ、取り付けが驚くほど簡単なサンシェードを提供します。【解決手段】  サンシェードを窓ガラスに直接固定する方法からドアの上にある手すりにクリップで取り付け、クリップから出た太いアルミ線でサンシェードをつなぐことによって、サンシェードの角度、位置を変えられるようにする。【選択図】    図４
2007008437.tif 000002
【特許請求の範囲】
【請求項１】
車内で日差しの向きに合わせて簡単に動かすことのできるサンシェードを提案します。
【請求項２】
しみ、そばかすができないためにサンシェードの素材をＵＶカットできるタイプのものにする。
【発明の詳細な説明】
【技術分野】
【０００１】本発明は、自動車の窓から差し込む直射日光が顔などに当たるのを防ぐために使用できるものである。
【背景技術】
【０００２】従来はドアの窓からの日差しを防ぐためにガラス窓に黒いサンシェードを吸盤でくっつけたりしていたが、顔だけをもっと入念に日差しから守り、しみ、そばかす対策ができるサンシェードはなかった。また、最近自動車の車内の手すりにクリップ式で付けられるベビーカーと兼用の紫外線カットのものがあるが、アームとクリップを取り付ける部分が長すぎて車内ではうまくできない。また、布部分が透けないので運転席には使用不可能であった。
【発明の開示】
【発明が解決しようとする課題】
【０００３】従来の日差しよけは、窓ガラスに固定するタイプのものだったのでサンシェードと車の枠の隙間からの日差しなどが当たっているのがわかるのに、どうすることもできずに運転を続けるしかなかった。また、クリップ式のものも、ベビーカー兼用なのでサンシェード部分以外のクリップは大きすぎ、アーム部分は長すぎた。また日よけ部分が透けていないので運転不可能であった。
【課題を解決するための手段】
【０００４】本発明は、日差しよけをドアの上の手すり７にクリップ２で取り付け、そのクリップ２と日差しよけを曲がるアルミ線でつなぎ、自由な角度、場所に固定できるようにする。また、クリップ２部分は、太いアルミ線を通すための穴８部分にゴム製の輪４のものをはめることによって太いアルミ線とクリップ２がくるくると回らないように固定できるようにする。また、クリップ２部分には手すり７としっかり固定できるように挟む所にゴム１０を付ける。
【発明の効果】
【０００５】自動車の手すり７に本発明の日差しよけ本体１をクリップ２で取り付けることにとって顔などにしみができないように差し込む日差しに合わせて移動することができる。また、窓ガラスに固定されていないので窓を開けても使用することができるまた、作りがクリップ２とサンシェード１を太いアルミ線でつなぐという簡単なものなので、軽くて場所をとらず取り付けがとても簡単である。
【実施例１】
【０００６】日差しよけ本体１をドア上の手すり７に取り付けるためのクリップ２と太いアルミ線３でつなぐ形のサンシェードなので、サンシェードの場所角度が自由に動かせる日差しよけができます。
【図面の簡単な説明】
【０００７】
【図１】（ネット製の場合）本発明の窓ガラスに面した方の正面図である。
【図２】（プラスチック製のスモークサンシェードの場合）本発明の窓ガラス面した方の正面図である。
【図３】本発明の横からの断面図である。
【図４】本発明を車内から見た使用状態の図である。
【図５】クリップ部分を正面からみた詳細図である。
【図６】クリップ部分を横から見た図である。
【符号の説明】
【０００８】１    サンシェード
２    クリップ
３    太いアルミ線
４    ゴム製の輪
５    スモークサンシェード
６    堅いプラスチック
７    車内の手すり
８    穴
９    日差し
１０  ゴム
【図１】
2007008437.tif 000003
【図２】
2007008437.tif 000004
【図３】
2007008437.tif 000005
【図４】
2007008437.tif 000006
【図５】
2007008437.tif 000007
【図６】
2007008437.tif 000008
(57)【要約】【課題】本発明は、キャリーカート運搬時に段差や階段の昇降を容易にするためのものである。従来、段差昇降時にはキャリーカートを持ち上げねばならなかったが、キャリーカート本体を段差の凸部に滑らせることによって昇降を容易にし、身体に無理な姿勢を強いることなく通常歩行時と同様に牽引できるキャリーカートを提供する。【解決手段】キャリーカート背面部７に段差凸部と接地する滑り具６を設ける。滑り具６は段差凸部との摩擦を軽減するため接地面積を極力小さくし、接地時の衝撃を緩衝するため両端５は滑らかな曲線にする。支持部１０に可動部９と伸縮部１１を設ける。【選択図】図２
2007008435.tif 000002
【特許請求の範囲】
【請求項１】
支持部が本体に対する角度を自由に変えられ、固定も出来る可変部を有し、本体背面部に段差凸部と接触させるための滑り具を設けた平地運搬時よりもさらに支持部を長くできる段差昇降を容易にするキャリーカート。
【請求項２】
０〜１８０度以内の角度か曲線をなし、段差凸部との設置面積を最小にできる滑り具を有した請求項１の段差昇降を容易にするキャリーカート。
【請求項３】
両端が滑らかな曲線をなし、段差凸部に乗り上げる際の衝撃を緩衝できる滑り具を有した請求項１の段差昇降を容易にするキャリーカート。
【発明の詳細な説明】
【技術分野】
【０００１】  本発明は、段差や階段の昇降時に本体を腕力によって持ち上げることなく、段差を滑らせ、衝撃なく、平地歩行時と同様の無理のない姿勢で運搬できるキャリーカートに関するものである。
【背景技術】
【０００２】  従来、荷物運搬を容易にするため底部に車輪を有したキャリーカートが使用されている。
この際、段差や階段の昇降時には車輪を使用しての運搬ができないため、台軸と車輪の接地面の間に滑り具を設ける手法（特許文献１参照）や、キャリーカート背面部に対し角度を付けた斜支枠を設ける手法（特許文献２、特許文献３参照）、キャリーカート背面部に対し角度を付けた伝動用ベルトを設ける手法（特許文献４）などが公知となっている。
【特許文献１】特許公開２００１−４８０２３
【特許文献２】特許公開平５−２１３２０４
【特許文献３】特許公開平６−１８３３５０
【特許文献４】特許公開２００１−３９３１５
【発明の開示】
【発明が解決しようとする課題】
【０００３】  従来の荷物運搬用キャリーカートは、底面に配置された車輪による平地輸送用に設計されたものであり、段差又は階段昇降時には通常の牽引姿勢では衝撃が大きくなるため、腕力によって持ち上げ、地面より離して運搬しなければならなかった。そのため、キャリーカート背面部に対し角度を付けた斜支枠を設ける手法やカート背面部にベルトやキャタピラ様の伝動用器具を設ける手法がすでに考案されているが、実際に使用する際は踵にぶつかりやすい、器具そのものの重量がかさむ、構造が複雑で製造コストがかさむなどの問題があった。
本発明は、以上の問題点を解決し、キャリーカートを持ち上げることなく、無理のない歩行姿勢のまま、衝撃なく、段差または階段昇降時にキャリーカートを運搬できるようになされたものである。
【課題を解決するための手段】
【０００４】  キャリーカート本体と牽引するためのハンドルの間の支持部に固定することも可能で、キャリーカート本体に対する支持部の角度を自由に変化できる可動部を設ける。ハンドルの長さを平地使用時よりも長くできるよう伸縮部を設ける。キャリーカート本体背面部に段差との接地面積を極力小さくした一つ以上の滑り具を設ける。滑り具の両端は接地をスムーズにするための滑らかな曲線で形成する。
本発明は、以上の構成よりなる段差昇降を円滑にするキャリーカートである。
【発明の効果】
【０００５】  本発明を使用することにより、キャリーカート本体背面部の滑り具が階段の凸部に接して滑り上げ、または滑り下げができるため、段差を超える際の衝撃がなく、円滑に段差や階段の昇降が可能となる。また、可変部と伸縮部を設けていることにより、平地使用時と同様の無理のない歩行姿勢で段差や階段の昇降が可能となる。
【発明を実施するための最良の形態】
【０００６】  以下、本発明の実施の形態を説明する。
（イ）キャリーカート本体（１）と接地面（２）との間のキャリーカート背面部（７）        に、接地面（２）との摩擦を極力小さくするための曲線（３）又は０〜１８０度        の角度（４）を付け、両端を滑らかな曲線（５）にした滑り具（６）を一つ以上        設ける。
（ロ）キャリーカート本体（１）と牽引用ハンドル（８）の間の支持部（１０）にキャ        リーカート本体（１）に対して支持部（１０）の角度を自由に変化でき、固定も        可能な可動部（９）を設ける。
（ハ）可動部（９）と牽引用ハンドル（８）の間の支持部（１０）の長さを平地使用時        よりも長くできるよう伸縮部（１１）を設ける。
本発明は以上の構成よりなる。
本発明を段差や階段の昇降時に使用する場合は、平地使用時には固定されている可変部（９）を解除し、キャリーカート本体（１）と支持部（１０）の角度を自由に変えられるようにし、伸縮部（１１）を平地使用時よりも長くして使用する。
【図面の簡単な説明】
【０００７】
【図１】本発明の斜視図
【図２】本発明使用時の側面図
【図３】本発明の要部断面拡大図
【図４】本発明の要部断面拡大図
【符号の説明】
【０００８】  （１）キャリーカート本体、（２）接地面、（３）摩擦軽減用曲線部、（４）摩擦軽減用角度、（５）接地時衝撃緩衝用曲線、（６）滑り具、（７）キャリーカート背面部、（８）牽引用ハンドル、（９）可動部、（１０）支持部、（１１）伸縮部
【図１】
2007008435.tif 000003
【図２】
2007008435.tif 000004
【図３】
2007008435.tif 000005
【図４】
2007008435.tif 000006
(57)【要約】【課題】ゴムノキやポプラ等の計画植林された早生樹を使用し、住宅用材や家具用材にも用いることができる住宅及び家具用集成材１０を提供する。【解決方法】住宅及び家具用集成材１０であって、ゴムノキやポプラ等の早生樹製の複数の木片２１〜２５を接着して板状に成形した基材２０と、この基材２０の表裏両面に貼着した天然材製突き板３０，３１から成り、前記基材２０の側面を前記突き板３０，３１と同色に着色する。基材２０の材料にゴムノキやポプラ等の計画植林されている早生樹を使うので、低コストで製造できる。天然材の突き板３０，３１で基材２０の表裏両面を覆うだけでなく、基材２０の側面を突き板３０，３１と同色に着色するので、集成材１０の表面には基材２０を構成する早生樹の不鮮明な木目模様が露出せず、突き板３０，３１の天然木目模様だけが表れる。この天然木目模様によって高級感が醸し出されるので、住宅及び家具用材に適用できる。【選択図】図１
2007008101.tif 000002
【特許請求の範囲】
【請求項１】
ゴムノキやポプラ等の早生樹製の複数の木片を接着して板状に成形した基材と、この基材の表裏両面に貼着した天然材製突き板から成り、前記基材の側面を前記突き板と同色に着色したことを特徴とする住宅及び家具用集成材。
【発明の詳細な説明】
【技術分野】
【０００１】
本発明は、集成材に関し、より詳しくはドア部材、ドア枠部材、造作部材、収納扉等の住宅用材及び家具用材として好適な集成材に関する。
【背景技術】
【０００２】
多数の木片を同じ繊維方向に幅、長さを接ぎ合わせながら、一定の厚さに積層接着した集成材は天然材の有する反りや部位による強度さ等の欠点をなくし均一の用材を提供できるという利点がある。しかしながら天然材は資源に限りがあり、原材料が高価なうえ、価格も不安定なため、天然材を原材料とする集成材を安定して低価格で供給することは困難である。
【特許文献１】引用なし
【発明の開示】
【発明が解決しようとする課題】
【０００３】
一方、近時世界各地で砂漠化を防止するためゴムノキやポプラ等の早生樹が広く計画植林されている。この種の早生樹を利用して集成材を製造すれば、低価格の集成材を安定供給することが可能となるだけでなく、森林資源の節約にも貢献できる。
【０００４】
しかしながら、ゴムノキやポプラ等の早生樹は木目模様が不鮮明なため、高級感に乏しい。そのためこれらの早生樹を使って製造した集成材は住宅用材や家具用材には不向きである。
本発明はかかる問題点に鑑み、ゴムノキやポプラ等の計画植林された早生樹を使用し、住宅用材や家具用材にも用いることができる住宅及び家具用集成材を提供することを目的とする。
【課題を解決するための手段】
【０００５】
請求項１に記載の発明は、住宅及び家具用集成材であって、ゴムノキやポプラ等の早生樹製の複数の木片を接着して板状に成形した基材と、この基材の表裏両面に貼着した天然材製突き板から成り、前記基材の側面を前記突き板と同色に着色したことを特徴とする。
【発明の効果】
【０００６】
本発明に係る住宅及び家具用集成材は、基材の材料にゴムノキやポプラ等の計画植林されている早生樹を使うので、低コストで製造できる。
そして、天然材の突き板で基材の表裏両面を覆うだけでなく、基材の側面を突き板と同色に着色するので、集成材の表面には基材を構成する早生樹の不鮮明な木目模様が露出せず、突き板の天然木目模様だけが表れる。この天然木目模様によって高級感が醸し出されるので、住宅及び家具用材に適用できる。
【発明を実施するための最良の形態】
【０００７】
ドア枠用集成材であって、ゴムノキやポプラ等の植林早生樹製の複数個の木片を接着して構成した基材と、この基材の表裏両面に貼着したビーチ、チーク、オーク、ウォールナット等の天然材製突き板から成り、基材の右端には鏡板が嵌合する溝を切削加工するとともに、基材の両端部を突き板と同色に着色する。そして、両端の木片は中間の木片に比べて同じ早生樹であっても良質の材料を使用する。
【実施例１】
【０００８】
以下に本発明に係る住宅及び家具用集成材の実施例を図１に示す。当該集成材１０はドア枠部材に用いられるもので、複数の木片２１〜２５を接着して構成した基材２０と、この基材２０の表裏両面に貼着した突き板３０，３１から成り、基材２０の右端には鏡板が嵌合する溝２０ａ］が切削加工されている。
【０００９】
基材２０を構成する各木片２１〜２５の材料にはゴムノキやポプラ等の計画植林した早生樹を使っている。複数の木片２１〜２５のうち、両端の木片２１，２５には中間の木片２２，２３，２４に比べて、早生樹であっても節、入り皮、クラック等の欠点の少ない良質材を使用している。また、突き板３０，３１にはビーチ、チーク、オーク、ウォールナット等の天然材を使用する。
【００１０】
図２に集成材の製造工程を模式的に示す。複数の木片２１〜２５を接ぎ合わせ、接着して板状に成形し基材２０を製作する（Ａ）。次ぎに、基材２０の表裏両面に突き板３０，３１を貼着する（Ｂ）。続いて、基材２０の右端に溝２０ａを切削加工し（Ｃ）、その後、基材２０の両端の木片２１，２５を薬品又は染料を使って着染し、突き板３０，３１と同色に着色する（Ｄ）。
【図面の簡単な説明】
【００１１】
【図１】本発明の実施例に係るドア枠用集成材を示す断面図である。
【図２】同集成材の製造工程を模式的に示す説明図である。
【符号の説明】
【００１２】
１０…ドア枠用集成材、２０…基材、２１〜２５…木片、３０，３１…突き板。
【図１】
2007008101.tif 000003
【図２】
2007008101.tif 000004
(57)【要約】 【課題】  キャップを紛失することがないように印鑑に組み付ける構造とし、しかも構造を簡単にして安価に供給できる新規な印鑑キャップ装置を提供する【解決手段】  上下両端２，３が開放する円筒体からなるキャップ本体１と、このキャップ本体１の外側に下端を軸支６した一対の脚５，５によって支持される皿状キャップ４とからなり、該脚５，５の下端の軸支部６を中心に脚５，５を回動して、皿状キャップ４によりキャップ本体１の上方開放部を開閉するように構成してある。【選択図】  図２
2007008102.tif 000002
【特許請求の範囲】
【請求項１】
上下両端が開放する円筒体からなるキャップ本体と、このキャップ本体の外側に下端を軸支した一対の脚によって支持される皿状キャップとからなり、該脚の下端の軸支部を中心に脚を回動して、皿状キャップによりキャップ本体の上方開放部を開閉するようにしてなる印鑑キャップ装置。
【請求項２】
上記皿状キャップの支持脚より前方に位置する皿状キャップ前方部を浅くすると共に皿状キャップの支持脚より後方に位置する皿状キャップ後方部を深くしてある上記請求項１に記載の印鑑キャップ装置。
【請求項３】
上記キャップ本体の上部の両側壁にクリック凹部又は透孔を形成し、上記クリック凹部又は透孔に対応する皿状キャップの内側にクリック突起を設けてある上記請求項１又は２に記載の印鑑キャップ装置。
【発明の詳細な説明】
【技術分野】
【０００１】
本発明は、液浸透式の印鑑に開閉可能なキャップを施す印鑑キャップ装置に関する。
【背景技術】
【０００２】
朱肉のいらない液浸透式印鑑は、その利便性から最近よく使われるようになっている。この液浸透式印鑑にはキャップが必要である。従前公知のキャップは単に着脱可能にしたキャップと、開閉可能に印鑑部分に組み付けられたキャップとがある。
【発明の開示】
【発明が解決しようとする課題】
【０００３】
前者の単に着脱可能としたキャップは、普段は印鑑に装着しておくが、印鑑を使用するときには、印鑑からこのキャップを外さなければならない。このキャップは構造も簡単で安価に供給できる利点を有するが、ややもするとこの外したキャップをどこかに紛失してしまうおそれがあり好ましくない。
後者の開閉可能に印鑑部分に組み付けられたキャップは、キャップを開閉可能に組み付けるための構造が複雑となり、安価に提供できないという課題がある。
本発明はキャップを紛失することがないように印鑑に組み付ける構造とし、しかも構造を簡単にして安価に供給できる新規な印鑑キャップ装置を提供するものである。
【課題を解決するための手段】
【０００４】
そのために、本発明印鑑キャップ装置は、上下両端が開放する円筒体からなるキャップ本体と、このキャップ本体の外側に下端を軸支した一対の脚によって支持される皿状キャップとからなり、該脚の下端の軸支部を中心に脚を回動して、皿状キャップによりキャップ本体の上方開放部を開閉するように構成してある。
【０００５】
上記皿状キャップの支持脚より前方に位置する皿状キャップ前方部を浅くすると共に皿状キャップの支持脚より後方に位置する皿状キャップ後方部を深くしてある。
上記キャップ本体の上記の両側壁にクリック凹部又は透孔を形成し、上記クリック凹部又は透孔に対応する皿状キャップの内側にクリック突起を設けてある。
【発明の効果】
【０００６】
本発明の印鑑キャップ装置は、上下両端が開放する円筒体からなるキャップ本体と、このキャップ本体の外側に下端を軸支した一対の脚によって支持される皿状キャップとからなり、該脚の下端の軸支部を中心に脚を回動して、皿状キャップによりキャップ本体の上方開放部を開閉するように構成してあるものであるから、キャップ本体を液浸透式印鑑の印面がキャップ本体の上端開放部から僅かに出るようにして嵌め合わせて固定すれば、液浸透式印鑑にキャップ装置を組み込むことができる。しかも、このキャップ装置は液浸透式印鑑に組み付けられるから、キャップが紛失されることもない。また、キャップ本体に一対の脚により皿状キャップを軸支支持するから構造がきわめて簡単であり、安価に提供できる効果がある。
【０００７】
また、本発明印鑑キャップ装置は、上記皿状キャップの支持脚より前方に位置する皿状キャップ前方部を浅くすると共に皿状キャップの支持脚より後方に位置する皿状キャップ後方部を深くしてあるから、皿状キャップを後方に開放し、前方には深くしてある皿状キャップ後方部がキャップ本体に突き当って閉じ、皿状キャップの閉じ状態を安定させる効果がある。
さらに、上記キャップ本体の上部の両側壁にクリック凹部又は透孔を形成し、上記クリック凹部又は透孔に対応する皿状キャップの内側にクリック突起を設けてあるから、皿状キャップのクリック突起がキャップ本体のクリック凹部又は透孔にクリックアクションによって嵌ったり脱出したりするから、皿状キャップの開閉が円滑に行える効果がある。
【発明を実施するための最良の形態】
【０００８】
図示した好ましい実施例により本発明の詳細を説明する。
図中１が円筒体からなるキャップ本体で、合成樹脂材により型成型して構成し、上端２及び下端３を開放してある。同じく図中４が同じ合成樹脂材により型成型した皿状キャップで、キャップ本体１の上端２に被せてキャップ本体１の上端２を閉じるようにしたものであり、この皿状キャップ４には相対向する一対の脚５，５を一体に設けてある。この脚５，５の下端をキャップ本体１の両側に軸支６してこの軸６を中心に脚５，５を回動することにより皿状キャップ４を図１及び図２に示すように開閉できるようにしてある。
【０００９】
皿状キャップ４の脚５より前方位置に位置する皿状キャップ前方部７は浅くしてあり、脚５より後方に位置する皿状キャップ後方部８は深くしてある。この形状により皿状キャップ後方端がキャップ本体１に突き当たり、皿状キャップ４を前方には開放できないようにしてある。その結果、皿状キャップ４の閉じ状態を安定するようにしてある。
また、図中９がキャップ本体１の上部の両側壁に形成したクリック凹部又は透孔で、このクリック凹部又は透孔９に対応する皿状キャップ４の内側にクリック突起１０を設けてあり、これらクリック突起１０がクリック凹部又は透孔９にクリックアクションによって嵌ったり脱出したりするから、皿状キャップ４の閉じ位置をしっかりと確保し、開閉を円滑にすることができる。
【図面の簡単な説明】
【００１０】
【図１】本発明印鑑キャップ装置の閉じ状態の斜視図。
【図２】同じく開状態の斜視図。
【図３】同じく一部断面で示した側面図。
【図４】脚位置で縦断した断面正面図。
【図５】使用状態を示す斜視図。
【符号の説明】
【００１１】
１  キャップ本体
２  上端
３  下端
４  皿状キャップ
５  脚
６  軸
７  皿状キャップ前方部
８  皿状キャップ後方部
９  クリック凹部又は透孔
１０  クリック突起
【図１】
2007008102.tif 000003
【図２】
2007008102.tif 000004
【図３】
2007008102.tif 000005
【図４】
2007008102.tif 000006
【図５】
2007008102.tif 000007
(57)【要約】      （修正有）【課題】生ゴミ袋にゴミを入れようとした時生ゴミ袋自体には腰がなくそのままの状態では大変いれにくかった。【解決手段】  腰のない生ゴミ袋の内部に筒状に丸めた地球環境に配慮した再生紙を加工した紙を入れ丸めた紙が元に戻ろうとする力を利用し生ゴミ袋の入口を大きくしなおかつ生ゴミ袋を円筒状に立たせ生ゴミを入れやすくしたもの。【選択図】図３
2007008718.tif 000002
【特許請求の範囲】
【請求項１】
市販されている生ゴミ袋の内部に丸めた筒状の紙およびそれに準ずる物を入れその丸めた筒状の紙が元に戻ろうとする力を利用して生ゴミ袋の入口を大きくし生ゴミを入れやすくした物
【発明の詳細な説明】
【発明の詳細な説明】
【技術分野】
【０００１】本発明は市販されている生ゴミ袋に丸めた筒状の加工した紙を入れ紙が元に戻ろうとする力を利用し生ゴミ袋の入口を丸く大きくし本来腰のない生ゴミ袋を立たせ生ゴミを入れやすくした発明である
【背景技術】従来生ゴミ袋はビニール製で腰がなく生ゴミがたいへん入れにくい状態であつた
【発明を実施するための最良の形態】本発明は市販されている生ゴミ袋に丸めた筒状の加工した紙を入れ紙が元に戻ろうとする力を利用して生ゴミ袋の入口を大きくして生ゴミをいれやすくした発明である
【発明の効果】
このようにすれば入れにくかった生ゴミ袋の入口が大きく広がり簡単に生ゴミを入れることができる
【図面の簡単な説明】
【図１】生ゴミ袋の中に入れる紙を丸める途中である
【図２】生ゴミ袋の中に入れる紙を丸めた状態である
【図３】生ゴミ袋に入れた丸めた紙が中で広がり生ゴミ袋の入口が大きくなった状態である
【図１】
2007008718.tif 000003
【図２】
2007008718.tif 000004
【図３】
2007008718.tif 000005
(57)【要約】      （修正有）【課題】グリセリンを気相で反応させてモノヒドロキシアセトンを製造するにあたり、有毒なクロムを含まない触媒を用いて、工業的に安全に収率よくモノヒドロキシアセトンを製造する方法を提供する。【解決手段】触媒の存在下で、グリセリンを気相接触反応せしめてモノヒドロキシアセトンを製造する方法において、触媒として銅及び／又は酸化銅をシリカに担持した触媒を用いる。【選択図】なし【特許請求の範囲】
【請求項１】
触媒の存在下で、グリセリンを気相接触反応せしめてモノヒドロキシアセトンを製造する方法において、触媒としてシリカに担持した銅及び／又は酸化銅を用いることを特徴とするモノヒドロキシアセトンの製造法。
【発明の詳細な説明】
【技術分野】
【０００１】
本発明は、医農薬中間体原料として有用なモノヒドロキシアセトンの製造法に関する。
【背景技術】
【０００２】
触媒の存在下で、グリセリンを気相接触反応せしめてモノヒドロキシアセトンを製造する方法は公知であり、有毒なクロムを構成元素とする銅クロマイトを触媒として使用する方法が報告されており（例えば、特許文献１参照）、モノヒドロキシアセトンが収率５０％〜８０％程度で得られている。
【特許文献１】ＤＥ４１２８６９２
【発明の開示】
【発明が解決しようとする課題】
【０００３】
本発明は、グリセリンを気相で反応させてモノヒドロキシアセトンを製造するにあたり、有毒なクロムを用いなくても、従来製法と同等の収率でモノヒドロキシアセトンを製造する方法を提供することを課題とする。
【課題を解決するための手段】
【０００４】
本発明は、触媒の存在下で、グリセリンを気相接触反応せしめてモノヒドロキシアセトンを製造する方法において、触媒としてシリカに担持した銅及び／又は酸化銅を用いることを特徴とするモノヒドロキシアセトンの製造法に関する。
【発明の効果】
【０００５】
本発明によれば、有毒なクロムを用いなくても、触媒としてシリカに担持した銅及び／又は酸化銅を用いることで、従来技術と同等の収率でモノヒドロキシアセトンを製造することができることから、本発明の製造方法は工業的利用価値大なるものである。
【発明を実施するための最良の形態】
【０００６】
以下に本発明を詳細に説明する。
本発明に使用する触媒は活性成分を銅及び／又は酸化銅とし、その担体をシリカとするものである。本触媒は、銅の硝酸塩、硫酸塩、炭酸塩、酢酸塩、塩化物、酸化物及び／又は水酸化物を、銅及び／又は酸化銅の原料化合物として用いることができ、従来法の調製方法、例えば、共沈法、含浸法、混練法によって調製される。含浸法により調製された銅及び／又は酸化銅をシリカに担持させた触媒が好ましい。銅及び／又は酸化銅がシリカに担持された触媒において、銅及び／又は酸化銅の担持量は特に制限はないが、シリカに対して通常０．１〜２５重量％ 、好ましくは３〜７重量％ である。また、助触媒として、アルカリ金属、アルカリ金属を含有してもよく、シリカに対して、通常０．００１〜１重量％ 、好ましくは０．０１〜０．５％の使用量である。また、触媒の形状は粉末状、円柱状、球状、粒状など、所望の形状に成形して反応に使用される。触媒の成形方法としては、あらかじめシリカを上記所望の形状に成形し、当該成形されたシリカを用いて含浸法により触媒を調製して成形触媒を得る方法が挙げられる。
【０００７】
本発明の製造法は、固定床触媒反応器、流動床触媒反応器又は移動床触媒反応器で行うことができる。以下、固定床触媒反応器を用いて行う場合を例として本発明を説明する。本発明の触媒を反応管に充填し、当該反応管にグリセリンを導入して気相接触反応させる。グリセリンは、窒素等の不活性ガス及び／又は水素と共に供給しても、特に支障なく反応を行うことができ、特に水素と共に供給することが好ましい。窒素の使用量としては、グリセリン１モルに対して、通常０．５〜１０モル、好ましくは０．８〜５モルである。水素の使用量としては、グリセリン１モルに対して、通常０．５〜１０モル、好ましくは０．８〜５モルである。
【０００８】
グリセリンは単独、水溶液又は有機溶剤との溶液で用いることができる。水又は有機溶剤の使用量は特に制限はないが、グリセリンに対して通常１０〜９０重量％である。
【０００９】
グリセリンと所望により窒素等の不活性ガス及び／又は水素との混合ガスを、空間速度（ＳＶ）１００〜１００００ｈｒ−１、好ましくは３００〜３０００ｈｒ−１で触媒上に通じる。反応温度は通常１５０〜７００℃、好ましくは２００〜５００℃である。反応の圧力は、大気圧以下から数気圧まで用いることができるが、通常大気圧から２気圧付近が至便である。
【００１０】
上記のようにして反応を行った後、反応管から流出するモノヒドロキシアセトンを主成分とする反応ガスを、そのまま冷却及び／又は適当な溶媒に通じて、モノヒドロキシアセトンを含む凝縮物及び／又は溶液を得る。得られた凝縮物又は捕集液から、濃縮、抽出、蒸留等の単位操作を組み合わせてモノヒドロキシアセトンが単離できる。
【実施例】
【００１１】
本発明を更に詳細に説明するために、以下に具体的な実施例を上げるが、本発明はこれらに限定されるものではない。尚、モノヒドロキシアセトンの収率はガスクロマトグラフィーで算出した。
【００１２】
参考例（触媒の調整）
シリカ粉末を押し出し成形（円柱形、径１．７ｍｍ、長さ５〜２０ｍｍ）したシリカ担体に対して、炭酸銅１．９ｇと２８％アンモニア水４４．０ｇとの溶液を上記シリカ担体１８．７ｇに含浸させた後、１２０℃で３時間乾燥し、次に空気気流中、６００℃で３時間焼成した。このようにして酸化銅をシリカに担持した触媒（触媒中の酸化銅の含有量：６重量％）を得た。
【００１３】
実施例１
参考例で得られた触媒１０ｍｌを内径１５ｍｍの反応管に充填し、反応管の触媒充填部を２８５℃に昇温した。この触媒充填部に５０重量％グリセリン水溶液を０．１６６７ｇ／分で、及び水素を４０ｍｌ／分（グリセリン１モルに対して２モル）、窒素を４０ｍｌ／分（グリセリン１モルに対して２モル）で２０分間供給した。反応管から流出する反応生成ガスを水１００ｍｌ中に通じて、モノヒドロキシアセトンを含む捕集液を得た。捕集液中のモノヒドロキシアセトンの収率は８２％であった。
【００１４】
実施例２、比較例１〜２
実施例１の触媒、触媒充填部の温度、窒素及び水素の供給量を表１の通りに代えた以外は実施例１と同様にして行った。その結果を表１に示す。
【００１５】
【表１】
2007008850.tif 000002
(57)【要約】【課題】アルミ箔ラミネートフィルムを適切に分離剥離処理することでアルミ箔とプラスチックの再利用を可能としたもので、資源、エネルギーの有効活用を図るものである。【解決手段】一定適性油温と適性比率の油を媒体としアルミ箔とプラスチックを剥離、分離し一定の圧力でそれぞれの油を搾りアルミ箔とプラスチックを回収それらを連続して行う装置である。【選択図】図１
2007111687.tif 000002
【特許請求の範囲】
【請求項１】
ある一定の適正油温と油蒸気をアルミ箔ラミネートフィルムに接触させてアルミ箔とプラスチック成分を剥離、分離し一定の圧力でそれぞれの油をしぼりアルミ箔とプラスチックを回収する装置。
【発明の詳細な説明】
【技術分野】
【０００１】本発明は、アルミ箔ラミネートフィルムの製造の過程で排出される不良品及び製品すべてにおいてリサイクルを可能とするものである。
【背景技術】
【０００２】無酸素状態での熱分解炉装置でプラスチック成分をガス化し、アルミのみを取りだしていた。又は熱源として焼却処理をしている（特許文献１参照。）。
【特許文献１】  特開平０１−２８７２３１号  公報
【発明の開示】
【発明が解決しようとする課題】
【０００３】解決しようとする問題点は、熱分解炉の装置では高温、高圧での処理の為安全設備、排ガス処理設備、等莫大な付帯設備が必要であり、アルミのリサイクルだけでプラスチック部分はガス化するが安定制御が出来ず有効なリサイクルが難しい点である。
【課題を解決するための手段】
【０００４】本発明は、一定適性油温又適正比率の油を媒体としアルミ箔とプラスチックを分離する装置。
【発明の効果】
【０００５】（イ）アルミ箔とプラスチックの両方のリサイクルが可能
（ロ）連続運転が可能なため小型で処理能力が高く設備費用を安価に出来る。
（ハ）アルミ箔を酸化させずほぼ１００％に近い状態でアルミ取り出しが可能。
本発明は、これらの効果をもたらすものである。
【発明を実施するための最良の形態】
【０００６】以下、本発明の実施例について説明する。
（イ）アルミ箔ラミネートフィルムを適当な大きさに破砕する。
（ロ）破砕したフィルムを網カゴ（１）に入れ適正油温（２）に接触させアルミとプラスチックを分離させる。
（ハ）分離させたフィルムを昇降装置（３）で上部に移動させ油蒸気（４）で洗浄しアルミを取り出す。
（二）分離した各々に一定の圧力をかけ油を搾りアルミ箔とプラスチックを取り出す。
（ホ）容器（５）内部で剥離、分離、洗浄を行う。
本発明は以上のような構造でこれお連続的に行う。
【図面の簡単な説明】
【０００７】
【図１】本発明の断面図である。
【符号の説明】
【０００８】（１）網カゴ
（２）油
（３）昇降装置
（４）油蒸気
（５）容器
【図１】
2007111687.tif 000003